(57)【要約】【課題】台風等の風圧がかかった風雨の電装箱への侵入を困難にすると共に、室外送風機の消費電力を抑えることができる空気調和機の室外機を提供する。【解決手段】空気調和機の室外機１００は、筐体１０の筐体端面１１に形成された筐体通気部１４が、内部カバー２０、中間パネル３０および外部カバー４０の三層によって覆われ、外部カバー４０の外部通気部４４から流入した外気は、内部カバー２０に形成された第１傾斜面１と、中間パネル３０の内部カバー２０側に形成された第２傾斜面２、第３傾斜面３および第４傾斜面４と、中間パネル３０の外部カバー４０側に形成された第５傾斜面５および第６傾斜面６とによって形成される蛇行する風路を流れて、中間パネル３０に形成された中間通気部３４および内部カバー２０に形成された内部通気部２４を通過して、筐体１０内に流入する。【選択図】図５
2014025595.tif 000002
【特許請求の範囲】
【請求項１】
外気が流入自在な筐体通気部が形成された筐体と、前記筐体通気部を覆うと共に、外気が通過自在な内部通気部を具備する内部カバーと、前記内部通気部を覆うと共に、外気が通過自在な中間通気部を具備する中間パネルと、前記中間通気部を覆うと共に、外気が通過自在な外部通気部を具備する外部カバーと、を有し、
前記内部カバーの下端には、前記筐体の高さ方向の上方になる程、前記外部カバーから離れる第１傾斜面が形成され、
前記中間パネルには、上方になる程、前記外部カバーに近づく第２傾斜面と、該第２傾斜面に滑らかに繋がって、上方になる程、前記外部カバーから離れる第３傾斜面と、該第３傾斜面よりも上の位置に、上方になる程、前記外部カバーに近づく第４傾斜面と、前記第３傾斜面に対向し、前記第３傾斜面との間に所定の間隔を具備する第５傾斜面と、該第５傾斜面に滑らかに繋がって、前記第４傾斜面に対向し、前記第４傾斜面との間に所定の間隔を具備する第６傾斜面と、前記中間通気部よりも上の位置に、前記外部カバーに到達する第７傾斜面と、が形成され、
前記外部通気部の下端および上端が、それぞれ前記第１傾斜面および前記第２傾斜面に略対向し、
前記第４傾斜面よりも上の位置において、前記筐体通気部、前記内部通気部および前記中間通気部が、それぞれ前記筐体の高さ方向の略同じ位置に配置され、
前記外部カバーに形成された外部通気部から前記中間パネルと前記外部カバーとの間に流入した外気は、前記第３傾斜面と前記第５傾斜面との間、および前記第４傾斜面と前記第６傾斜面との間、を経由する略Ｓ字状の流れとなって、前記筐体通気部から前記筐体に流入することを特徴とする空気調和機の室外機。
【請求項２】
前記第３傾斜面と前記第５傾斜面とが略平行であって、前記第４傾斜面と前記第６傾斜面とが略平行であることを特徴とする請求項１記載の空気調和機の室外機。
【請求項３】
前記内部カバーおよび前記外部カバーは、何れも金属板によって形成され、前記内部通気部および前記外部通気部は、何れも複数のスリット状の内部通気溝および外部通気溝と、該内部通気溝および外部通気溝の縁に沿って折り曲げられた短冊状の内部通気庇および外部通気庇とを具備することを特徴とする請求項１または２記載の空気調和機の室外機。
【請求項４】
前記中間パネルは、樹脂成形体であって、前記中間通気部は、複数の貫通孔を具備することを特徴とする請求項１乃至３の何れか一項に記載の空気調和機の室外機。
【発明の詳細な説明】
【技術分野】
【０００１】
本発明は空気調和機の室外機に関するものである。
【背景技術】
【０００２】
従来、空気調和機の室外機には、圧縮機、室外送風器、制御機器（基板等）や各種検知センサー等が収納され、これらを駆動するための動力やこれらを制御するための信号が外部から供給されている。
このとき、圧縮機や室外送風器等に直接接続されたユニット内の動力ケーブルは、動力用の接続端子を介してユニット外の動力ケーブルに接続され、制御機器や各種検知センサー等に直接接続されたユニット内の信号ケーブルは、信号用の接続端子を介してユニット外の信号ケーブルに接続されている。そして、制御機器（基板等）、動力用の接続端子および信号用の接続端子（以下、これらをまとめて「電装品」と称す）は、電装箱に収納されている（電装箱を形成する壁面に設置されている）。
そして、電装箱を、電装品の発熱による加熱を防止するために、室外空気が流入および流出する構造にすると共に、水による電装品の劣化や漏電を防止するために、台風等の風圧がかかった風雨が侵入し難い構造にした室外機が開示されている（例えば、特許文献１参照）。
【先行技術文献】
【特許文献】
【０００３】
【特許文献１】特開２００６−８４１０６号公報（第３−５頁、図２）
【発明の概要】
【発明が解決しようとする課題】
【０００４】
しかしながら、特許文献１に開示された室外機における電装箱は、室外機の外郭を形成する筐体の上部に配置され、筐体の側面に形成された開口部（以下「電気配線用開口部」と称す）に連通すると共に、筐体内部に連通する開口部（以下「筐体連通開口部」と称す）を具備している。したがって、室外送風機によって吸引された外気の一部は、電気配線用開口部を経由して電装箱に流入して電装品を冷却し、その後、筐体連通開口部を経由して筐体内に流出する。
そして、電気配線用開口部を覆うように、複数のカバー通風孔が形成された保護カバーが筐体側面に設置されている。このとき、電気配線用開口部とカバー通風孔との間に、内部カバー（内部パネル）が配置され、カバー通風孔を通過した外気（風雨）が、電気配線用開口部に直接流入しないようになっている。
【０００５】
すなわち、カバー通風孔を通過した外気は、一旦内部カバーに衝突して、保護カバーと内部カバーとの隙間を下降して、内部カバーの下端において方向転換するため、外気に含まれた水分が分離され、その後、水分が分離された外気は、内部カバーと筐体側面との隙間を上昇して、電気配線用開口部に流入する。
したがって、台風等の風圧がかかった風雨が、電装箱に侵入し難いという効果が得られるものの、風路抵抗が大きくなることから、所定の風量を確保するために、室外送風機の回転数を上げる必要が生じていた。このため、室外送風機の消費電力が上昇する（悪化する）という問題があった。
【０００６】
本発明は上記のような問題を解決するためになされたもので、台風等の風圧がかかった風雨の電装箱への侵入を困難にすると共に、室外送風機の消費電力を抑えることができる空気調和機の室外機を提供することを目的とする。
【課題を解決するための手段】
【０００７】
本発明に係る空気調和機の室外機は、外気が流入自在な筐体通気部が形成された筐体と、前記筐体通気部を覆うと共に、外気が通過自在な内部通気部を具備する内部カバーと、前記内部通気部を覆うと共に、外気が通過自在な中間通気部を具備する中間パネルと、前記中間通気部を覆うと共に、外気が通過自在な外部通気部を具備する外部カバーと、を有し、前記内部カバーの下端には、前記筐体の高さ方向の上方になる程、前記外部カバーから離れる第１傾斜面が形成され、前記中間パネルには、上方になる程、前記外部カバーに近づく第２傾斜面と、該第２傾斜面に滑らかに繋がって、上方になる程、前記外部カバーから離れる第３傾斜面と、該第３傾斜面よりも上の位置に、上方になる程、前記外部カバーに近づく第４傾斜面と、前記第３傾斜面に対向し、前記第３傾斜面との間に所定の間隔を具備する第５傾斜面と、該第５傾斜面に滑らかに繋がって、前記第４傾斜面に対向し、前記第４傾斜面との間に所定の間隔を具備する第６傾斜面と、前記中間通気部よりも上の位置に、前記外部カバーに到達する第７傾斜面と、が形成され、前記外部通気部の下端および上端が、それぞれ前記第１傾斜面および前記第２傾斜面に略対向し、前記第４傾斜面よりも上の位置において、前記筐体通気部、前記内部通気部および前記中間通気部が、それぞれ前記筐体の高さ方向の略同じ位置に配置され、前記外部カバーに形成された外部通気部から前記中間パネルと前記外部カバーとの間に流入した外気は、前記第３傾斜面と前記第５傾斜面との間、および前記第４傾斜面と前記第６傾斜面との間、を経由する略Ｓ字状の流れとなって、前記筐体通気部から前記筐体に流入することを特徴とする。
【発明の効果】
【０００８】
本発明に係る空気調和機の室外機は、筐体通気部が、内部カバーと中間パネルと外部カバーとの３層によって覆われた三層構造であって、外部カバーに形成された外部通気部から流入した風（風雨）は、中間パネルに形成された複数の傾斜面に案内され、略Ｓ字状の流れとなって筐体通気部から筐体内に流入するから、流れが円滑になる。すなわち、筐体内に設置された外部送風機によって、筐体内に外気を吸引する際、室外送風機の消費電力を小さく抑えることができる。
また、強風であっても、略Ｓ字状の流れとなる間に風速が弱められるから、強風の筐体内への吹き込みが抑えられる。また、台風等の風圧がかかった風（風雨）は、略Ｓ字状の流れとなる間に、複数の傾斜面に衝突して、該風（風雨）に含まれた水滴（雨滴）は傾斜面に付着するため、水滴（雨滴）の筐体内への流入が抑えられる。よって、筐体内に設置された各種機器の劣化や損傷が抑えられるから、機器寿命の延長を図ることができる。
さらに、仮に、筐体の外部に火災が発生した場合、あるいは、仮に、筐体の内部に火災が発生した場合、炎は略Ｓ字状の流れとなって、その勢いが弱められるため、炎が筐体内に侵入したり、あるいは炎が筐体外に吹き出したりすることが防止される。
【図面の簡単な説明】
【０００９】
【図１】本発明の実施の形態１に係る空気調和機の室外機の全体を示す斜視図。
【図２】図１に示す室外機の一部を拡大して示す断面図。
【図３】図１に示す室外機の構成部材の一部を分離し、拡大して示す斜視図。
【図４】図１に示す室外機の一部（中間パネル）を拡大して示す斜視図および断面図。
【図５】図１に示す室外機の一部を拡大して示す断面図。
【発明を実施するための形態】
【００１０】
［実施の形態１］
図１〜図５は本発明の実施の形態１に係る空気調和機の室外機を説明するものであって、図１は全体を示す斜視図、図２は一部を拡大して示す断面図、図３は構成部材の一部を分離し、拡大して示す斜視図、図４は一部（中間パネル）を拡大して示す斜視図および断面図、図５は一部を拡大して示す断面図である。なお、各部は模式的に説明するものであって、本発明は図示された形態に限定するものではない。また、室外機の各部の関係を明瞭にするため、室外機が設置された状態において、上方向を「Ｚ方向」、左右方向を「Ｘ方向」、奥行き方向を「Ｙ方向」とする。
【００１１】
（筐体）
図１〜図５において、空気調和機の室外機（以下、「室外機」と称す）１００は、直方体状の筐体１０であって、内部に、冷凍サイクルを実行する圧縮機、室外熱交換器、膨張弁（何れも図示しない）、室外熱交換器に外気を供給する室外送風器１５等が収納されている。そして、これらを制御する制御手段（制御基板）１９と、接続端子１８とを収納する電装箱１７が、筐体の上部分で一方の筐体端面１１の近くに配置されている。電装箱１７には、矢印で模式的に示すように、外気が通過自在な構造になっている。
なお、接続端子１８は、圧縮機、室外熱交換器、膨張弁および室外送風器１５等にそれぞれ接続された筐体内の動力ケーブルおよび筐体内の信号ケーブルと、筐体外の動力ケーブルおよび筐体外の信号ケーブルとを接続するためのものである。
さらに、筐体端面１１には、外気が通過自在な筐体通気部１４が形成され、筐体通気部１４を覆う内部カバー２０と、内部カバー２０を覆う中間パネル３０と、中間パネル３０を覆う外部カバー４０と、が着脱自在に設置されている。
【００１２】
（内部カバー）
内部カバー２０は、金属板（例えば、鋼板）をプレス加工（打ち抜き加工および曲げ加工）されたものであって、筐体端面１１に設置された際、筐体端面１１（Ｙ−Ｚ面）に平行になる略平面状の内部カバー平面２１と、内部カバー平面２１の上縁および両側縁にそれぞれ形成された内部カバー上面２２および内部カバー側面２３と、内部カバー平面２１の下縁に形成された下方に傾斜した（上方になる程、内部カバー平面２１に近づく）第１傾斜面１と、を具備している。
そして、内部カバー平面２１には、外気が通過自在な内部通気部２４が形成され、内部通気部２４は複数のスリット状の内部通気溝２４ａと、内部通気溝２４ａの縁に沿って折り曲げられた短冊状の内部通気庇２４ｂとを具備している。
なお、内部カバー平面２１は文字通りの「平面」に限定されるものではなく、一部の凹凸が形成されたり、断面が略円弧状に形成されたりしたものを含むものであり、かかる「平面」は中間パネル３０や外部カバー４０においても同様である。
【００１３】
（中間パネル）
中間パネル３０は、樹脂成形品であって、筐体端面１１に設置された際、筐体正面１３（Ｘ−Ｚ面）に平行になる一対の中間パネル側面３３と、一対の中間パネル側面３３に跨がって形成され、筐体端面１１（Ｙ−Ｚ面）に平行になる中間パネル平面３１と、一対の中間パネル側面３３の上端に跨がって形成された中間パネル上面３２と、を具備している。
そして、一対の中間パネル側面３３に跨がって以下の傾斜面が形成されている。すなわち、中間パネル３０下縁には、上方になる程、中間パネル平面３１から離れる第２傾斜面２と、第２傾斜面２に滑らかに繋がって、上方になる程、中間パネル平面３１に近づく第３傾斜面３と、第３傾斜面３よりも上の位置に、上方になる程、中間パネル平面３１から離れる第４傾斜面４と、第４傾斜面４の上方で中間パネル平面３１に略平行な中間通気部３４が形成されている。このとき、第２傾斜面２と第３傾斜面３とは側面視において（Ｘ−Ｚ面において）、頂点が略円弧状の三角形の斜面を呈する。
【００１４】
さらに、第５傾斜面５、第６傾斜面６および第７傾斜面７が形成されている。すなわち、第５傾斜面５は、第３傾斜面３に対向し、第３傾斜面３との間に所定の間隔を具備する。第６傾斜面６は、第５傾斜面５に滑らかに繋がって、第４傾斜面４に対向し、第４傾斜面４との間に所定の間隔を具備する。そして、第７傾斜面７は、中間通気部３４よりも上の位置に、中間パネル平面３１に対して僅かに傾斜している。
このとき、第５傾斜面５と第６傾斜面６とは、側面視において（Ｘ−Ｚ面において）、頂点が略円弧状の三角形の斜面を呈し、第３傾斜面３の上端と第４傾斜面４の下端とに挟まれた中間パネル平面３１に略対向し、第５傾斜面５および第６傾斜面６と、中間パネル平面３１のこれらに対向する範囲とによって、高さ方向の中央部が狭くなった風路が形成されている。
【００１５】
なお、第４傾斜面４と中間通気部３４との間に、第４傾斜面４に滑らかに繋がって、上方になる程、中間通気部３４に近づく第８傾斜面８が形成されているが、第８傾斜面８の形成を省略して、第４傾斜面４と中間通気部３４とが滑らかに繋がってもよい。また、第７傾斜面７は、中間パネル平面３１に対して垂直に形成されてもよい。
そして、中間通気部３４は複数の貫通孔によって形成され、外気は通過自在であるものの、昆虫や小動物（例えば、ヤモリ等）は通過不能になっている。
【００１６】
（外部カバー）
外部カバー４０は、金属板（例えば、鋼板）をプレス加工（打ち抜き加工および曲げ加工）されたものであって、筐体端面１１に設置された際、筐体端面１１（Ｙ−Ｚ面）に平行になる外部カバー平面４１と、外部カバー平面４１の上縁、両側縁および下縁にそれぞれ形成された外部カバー上面４２、外部カバー側面４３および外部カバー下面４５と、を具備している。すなわち、外部カバー４０は一方の筐体端面１１に設置された際に筐体１０側になる面が開口した箱である。
そして、外部カバー平面４１には、外気が通過自在な外部通気部４４が形成され、外部通気部４４は複数のスリット状の外部通気溝４４ａと、外部通気溝４４ａの縁に沿って折り曲げられた短冊状の外部通気庇４４ｂとを具備している。また、外部カバー側面４３のうちの一方の外部カバー側面４３の下端に近い位置には、開口した外部排気部４６が形成されている。
さらに、外部カバー４０の下端には、樹脂成形された外部カバーキャップ５０が設置されている。したがって、外部カバー４０を筐体１０から取り外した際、外部カバーキャップ５０を下にして床面等に載置すれば、床面等に金属製の外部カバー４０が直接当接することがないから、床面等の損傷を防止することができる。なお、外部カバーキャップ５０の設置を省略してもよい。
【００１７】
（外気の流れ）
図５において、図示しない室外送風機によって吸引された外気は矢印によって模式的に示すように外部カバー４０内をながれる。
すなわち、外部通気部４４を通過した外気は、第１傾斜面１によって、斜め上方に案内され、第２傾斜面２に衝突しながら上昇する。そして、第５傾斜面５に衝突して斜め上方に流れ、さらに、第４傾斜面４に衝突して斜め上方に流れる。そして、第７傾斜面７によって、それ以上の上昇が抑えられるから、中間通気部３４、内部通気部２４および筐体通気部１４を順次通過して、電装箱１７（筐体１０内に同じ）に流入する。
この間、外気は、筐体１０に近い側が、第２傾斜面２、第３傾斜面３、中間パネル平面３１および第４傾斜面４に沿って案内され、筐体１０から遠い側が、外部カバー平面４１、第５傾斜面５、第６傾斜面６および外部カバー平面４１に沿って案内される。
このため、第３傾斜面３と第５傾斜面５とによって挟まれた風路から、第４傾斜面４と第６傾斜面６とによって挟まれた風路に流入する際、く字状（Ｖ字状）に流れ方向が変えられ、蛇行することになる。
【００１８】
（傾斜面の効果）
以上のように、外気は、第１傾斜面１〜第７傾斜面７によって案内され、蛇行しながら外部カバー内を上昇するから、略Ｓ字状の円滑な流れとなる。このため、室外送風機の消費電力を小さく抑えることができる。また、強風であっても、略Ｓ字状の流れとなる間に風速が弱められるから、強風の筐体内への吹き込みが抑えられる。
さらに、台風等の風圧がかかった風（風雨）は、少なくとも第２傾斜面２、第５傾斜面５および第４傾斜面４に衝突した際、かかる風（風雨）に含まれた水滴（雨滴）は、第２傾斜面２、第５傾斜面５および第４傾斜面４に付着するため、水滴（雨滴）の電装箱１７への流入が抑えられる。よって、電装箱１７に設置された制御手段（制御基板）１９や接続端子１８、あるいは、接続端子１８に接続された動力ケーブルおよび信号ケーブルの劣化や損傷が抑えられるから、機器寿命の延長を図ることができる。
【００１９】
さらに、内部カバー２０および外部カバー４０は、金属製であるから、仮に、火災等の高温に晒された場合でも、溶損することはない。
また、仮に、筐体１０の外部に火災が発生した場合、あるいは、仮に、電装箱１７の内部に火災が発生した場合、外部通気部４４および内部通気部２４は、スリット状の外部通気溝４４ａおよびスリット状の内部通気溝２４ａを具備するから、炎の通過が困難になっている。
さらに、風路は第２傾斜面２等によって蛇行（ジグザクに屈曲）しているため、仮に、炎が外部通気部４４を通過して、中間通気部３４が溶損したとしても、内部通気部２４を通過することが抑えられている。同様に、仮に、炎が内部通気部２４を通過して、中間通気部３４が溶損したとしても、外部通気部４４を通過することが抑えられている。
よって、筐体１０の外部に火災が発生した場合に対しては、電装箱１７の損傷が防止され、筐体１０の内部に火災が発生した場合に対しては、筐体１０の周囲への延焼が防止される。
なお、複数の貫通孔によって形成された中間通気部３４と協働して、外部通気部４４および内部通気部２４を形成するスリット状の外部通気溝４４ａおよびスリット状の内部通気溝２４ａは、昆虫や小動物（例えば、ヤモリ等）の電装箱１７への侵入を防止し、電装箱１７内に設置された各機器の保全性を高めている。
【符号の説明】
【００２０】
１  第１傾斜面、２  第２傾斜面、３  第３傾斜面、４  第４傾斜面、５  第５傾斜面、６  第６傾斜面、７  第７傾斜面、８  第８傾斜面、１０  筐体、１１  筐体端面、１３  筐体正面、１４  筐体通気部、１５  室外送風器、１７  電装箱、１８  接続端子、１９  制御手段（制御基板）、２０  内部カバー、２１  内部カバー平面、２２  内部カバー上面、２３  内部カバー側面、２４  内部通気部、２４ａ  内部通気溝、２４ｂ  内部通気庇、３０  中間パネル、３１  中間パネル平面、３２  中間パネル上面、３３  中間パネル側面、３４  中間通気部、４０  外部カバー、４１  外部カバー平面、４２  外部カバー上面、４３  外部カバー側面、４４  外部通気部、４４ａ  外部通気溝、４４ｂ  外部通気庇、４５  外部カバー下面、４６  外部排気部、５０  外部カバーキャップ、１００  空気調和機の室外機。
【図１】
2014025595.tif 000003
【図２】
2014025595.tif 000004
【図３】
2014025595.tif 000005
【図４】
2014025595.tif 000006
【図５】
2014025595.tif 000007